(57)【要約】【課題】  日本古来の俳句，短歌，甚句，施頭歌等を、競技として同じ盤上で幾種類かの闘歌句が可能な遊戯具を提供する事。【解決手段】大略平坦な基盤と、任意所定形状の文字枠で以って該基盤上に配列された文字枠群《略直線状の辺枠列Ｈ，翼枠列Ｙ，中央枠列Ｃから成り、該基盤の中央部分に辺枠列四列で大略四角形を構成し，其の四角形の略対角線上外側に張り出す形で翼枠列を、中央部に中央枠列を配置し、重畳共通枠を共用して成る文字枠列群構成》と、異字母仮名を記した文字駒で構成される文字駒群４８個を、該文字枠群に，個別に，任意に排置する事の出来る闘歌句遊戯盤に於いて、各競技者の各歌句経路の総枠数式（１）：２３≧Ｙ＋Ｈ＋Ｙ≧１４，但１１≧（Ｙ，Ｈ）≧１、総枠数式（２）：２６＝Ｙ＋Ｃ＋Ｙ，但（Ｙ＝１１，Ｃ＝４）の内、少なくとも二又は三以上を満たす形体や意匠にした多用途闘歌句遊戯盤。【選択図】  図１
2006218003.tif 000002
【特許請求の範囲】
【請求項１】
大略平坦な基盤（１）と、任意所定形状の文字枠（２）で以って該基盤上に配列された文字枠群と、異なる日本語字母（平・片・ローマ字等）仮名を記した文字駒（３）で構成される，少なくとも４８個の異なる文字駒群を、該基盤上の該文字枠群に，個別に任意に排置（布置）する事の出来る闘歌句遊戯盤に於いて、文字枠群の配列が下記の配置形状で、且つ、各歌句経路の総枠数式（１），（２）の内、少なくとも二つ又は三つ以上を満足する様な配列形体又は意匠にして成る多用途歌句創作用具あるいは闘歌句遊戯盤。
（ａ）配置形状：  文字枠群は略直線状の辺枠列（４），翼枠列（５），中央枠列（６）から成り、該基盤の中央部分に辺枠列（四列）で大略四角形を構成し，其の四角形の略対角線上外側に（角の一部分を構成する形で，又は）張り出して翼枠列を、中央部に中央枠列を配置し、重畳共通枠を共用して成る文字枠列群構成。
（ｂ）総枠数式（１）：  ２３≧ＹＮ＋ＨＮ＋ＹＮ≧１４  ；但し１１≧（ＹＮ；翼枠列，ＨＮ；辺枠列）≧１
総枠数式（２）：  ２６＝ＹＮ＋ＣＮ＋ＹＮ  ；但し（翼枠列；ＹＮ＝１１，中央枠列；ＣＮ＝４）
【請求項２】
文字駒群として、「う，え，い」、及び「う゛」の４文字の内、異なる１〜４文字を加えて構成された請求項１記載の多用途歌句創作用具あるいは闘歌句遊戯盤。
【請求項３】
大略平坦な基盤（１）と、任意所定形状の文字枠（２）で以って該基盤上に配列された文字枠群と、異なる日本語字母（平・片・ローマ字等）仮名を記した文字駒（３）で構成される，少なくとも４８個の異なる文字駒群を、該基盤上の該文字枠群に，個別に任意に排置（布置）する事の出来る闘歌句遊戯盤に於いて、外側（領域または外周）には、文字枠群の配列が多角形または円形の単独一連で、且つ、内側（内部領域）には、対角線上と多角形辺上とで同種の闘歌句が競える文字駒配列を、少なくとも内外合計二つ以上構成した配列形体又は意匠にして成る多用途歌句創作具あるいは闘歌句遊戯盤。
【請求項４】
文字駒群として、４８個の異なる文字駒群に「う，え，い」の３文字の内，異なる１〜３文字を加えて構成された請求項３記載の多種（用途）歌句創作具あるいは闘歌句遊戯盤。
【発明の詳細な説明】
【技術分野】
【０００１】
本発明は各人の感懐や情景を俳句（川柳），短歌又は甚句，施頭歌形式表現等により創作を競い合う娯楽遊戯具あるいは創作表示器具、もしくは知的能力や語い力、又は表現における柔軟性を培う語学用補助器具の構成形態に関するものである。
【背景技術】
【０００２】
従来の娯楽用具としては、カルタ、花札、囲碁、将棋、麻雀等幾人かで楽しむ物、此れらをゲームソフト化した物などが在り、知的能力や語学能力、柔軟性を培う補助具としては、各種学習テキストあるいはコンピュータで活用するソフトウェアシステム等が有る。
従来の娯楽器具では、所定のルールで取得した数の多さや地の広さ、特定物を手に入れる手順の変化や時間の先後または多少を、所持知識や技、熟練度の巧拙で、単なるゲームとして競うのが一般的であり、人意情景表現・其の物の創作を競い合う闘歌句用娯楽用具はほとんど見られない。
知的育成補助器具においては、設定（固定化）されたパターンの繰り返しによる記憶上達が主体であり、難易度に急激，多大な変化を付けないのが普通で、即事または即時的に他からの影響を受けることは避けるのが普通である。
【０００３】
しかし、俳句や短歌などを個別に創作し競う形式は有っても創作用具や娯楽遊戯具は見掛けなかったし、人意情景表現・其の物を他の競技者と相互に，即事または即時的に構築し、評価や勝敗は参画者や競技者の思議や諮議で，判定で，することができる、且つ競技者が相互に関係付けし、され乍ら、複数競技者で其れ等を競おうとする物は此れ又皆無に近かった。此れを具体化した歌句創作遊戯具として、本発明と関わる，本出願人の先行出願の公開公報は下記の通りである。
【特許文献１】特開平０７−２８４５５１号  公報
【特許文献２】特開平０８−３１８０２１号  公報
【特許文献３】特開平０９−１０３５３５号  公報
【特許文献４】特開２００２−０９５７８５  公報
【特許文献５】実用新案登録  第3101376号
【発明の開示】
【発明が解決しようとする課題】
【０００４】
短詩や短文を主体とする日本古来の歌句などを競技として、競技者相互に関連付けされ乍ら、同じ盤上で幾種類かの競作を可能にする方法（用具）や遊具を提供しようとする事である。
此処で言う幾種類かとは、俳句（川柳）、短歌、甚句、施頭歌（酒折連歌）等の類や、歌句種類は同じであっても形態の異なる（構成配列を複数個纏めた）物の類を言う。
【課題を解決するための手段】
【０００５】
将棋，チェス，オセロ，囲碁等は夫々の升目や駒が異なるので、同一盤面で実行しようとすると多少の無理が生じるが、闘歌句の場合は文字駒を使用すると言う共通性が有り、同じ文字駒が使えるので、上中下句などの区切り文字数で異なる歌句形式を、盤面の文字枠配列の工夫によって、一般的に使用し易い寸法の同じ盤上で幾種類かの歌句形式を構成する事が可能である。
【０００６】
上記目的の達成は、大略平坦な基盤（１）と、任意所定形状の文字枠（２）で以って該基盤上に配列された文字枠群《略直線状の辺枠列（４），翼枠列（５），中央枠列（６）から成り、該基盤の中央部分に辺枠列（四列）で大略四角形を構成し，其の四角形の略対角線上外側に（角の一部分を構成する形で，又は）張り出して翼枠列を、中央部に中央枠列を配置し、重畳共通枠を共用して成る文字枠列群構成》と、異なる日本語字母（平・片・ローマ字等）仮名を記した文字駒（３）で構成される，少なくとも異なる文字駒の一群４８個（又は其の４８個に「う，え，い，う゛」の内異なる１〜４個を加えた４９〜５２個）を、該基盤上の該文字枠群に，個別に任意に排置する事の出来る闘歌句遊戯盤に於いて、各競技者（通常二〜四人）の各歌句経路の総枠数式（１），（２）、
総枠数式（１）：  ２３≧ＹＮ＋ＨＮ＋ＹＮ≧１４    但し１１≧（ＹＮ；翼枠列，ＨＮ；辺枠列）≧１
総枠数式（２）：  ２６＝ＹＮ＋ＣＮ＋ＹＮ    但し（翼枠列；ＹＮ＝１１，中央枠列；ＣＮ＝４）
の内、少なくとも二つ又は三つ以上を満足する様な配列形体又は意匠にして成る多用途闘歌句遊戯盤を提供する事で得られる。
【０００７】
具体的な歌句経路の総枠数と翼枠列，辺枠列，翼枠列，中央枠列の組合せは下記の通り。
総枠数１４（翼枠列＝１，  辺枠列＝１１，翼枠列＝１）
総枠数１４（翼枠列＝２，  辺枠列＝１０，翼枠列＝２）
総枠数１５（翼枠列＝３，  辺枠列＝９，  翼枠列＝３）                
（５，５，５）
総枠数１６（翼枠列＝４，  辺枠列＝８，  翼枠列＝４）
総枠数１７（翼枠列＝５，  辺枠列＝７，  翼枠列＝５）  →俳句＆短歌（５，７，５）
総枠数１８（翼枠列＝６，  辺枠列＝６，  翼枠列＝６）                    （６，６，６）
総枠数１９（翼枠列＝７，  辺枠列＝５，  翼枠列＝７）  →酒折問答歌（５，７，７）
総枠数２０（翼枠列＝８，  辺枠列＝４，  翼枠列＝８）
総枠数２１（翼枠列＝９，  辺枠列＝３，  翼枠列＝９）                    （７，７，７）
総枠数２２（翼枠列＝１０，辺枠列＝２，  翼枠列＝１０）              （５，５，５，７）
総枠数２３（翼枠列＝１１，辺枠列＝１，  翼枠列＝１１）
総枠数２６（翼枠列＝１１，中央枠列＝４，翼枠列＝１１）    →甚句（７，７，７，５）
但し、四人（甚句の時は二人）が同一歌句形式を選択した場合の各枠列の配列組合せである。
（盤面での，一歌句経路の全競技者分の合計枠数＝辺枠列×４＋翼枠列×４，又は＝中央枠列＋翼枠列×４、は全て４８個であるが、盤面上の表記全枠数は選択形式の組合せで異なる増嵩）
【発明の効果】
【０００８】
古来からの各種歌句形式や同種異形態を必要に応じて、同じ盤上で選択できるので、個別の闘歌句盤を準備するより経済的である。該古式以外でも各自の好みの調子や韻律で競作可能である。外郭と内郭構成の場合は、同一競技者が、俳句と短歌を同時に複数形態で競えるもので、処理能力の向上に役立つ、脳の力を開発するのに役立つ。内外別個に行えば多人数が参加できる利点もある。
人意や感懐あるいは情景を、複数競技者相互に関与しつつ、俳句（川柳），短歌，甚句，施頭歌（酒折連歌）等に夫々別個の表現で競い合う事も可能な歌句創作娯楽用具を提供することができる。（勿論、本出願人が先行出願した闘歌句盤の利点の幾つかも合わせて具備している。）
【０００９】
文字駒として平板なカード（文字板）等を用いて、布地等の柔軟な棋布体から成る闘歌句棋布盤にすれば持ち運びに容易で、方円卓風基盤にすれば内外で何処の土地柄にも適応できる。
【発明を実施するための最良の形態】
【００１０】
競技者数を最大四人、歌句形式を俳句，川柳は（５，７，５）、施頭歌，酒折問答歌は（５，７，７）、甚句は（７，７，７，５）として構成した歌句経路総枠数を重ね合わせて構成した文字枠配列を有する闘歌句盤が、短歌も設定可能で現段階では最も多用途的であろう。（盤面上の全枠数＝９６）
【実施例１】
【００１１】
図１（ａ）は基盤（１）が四角形の場合で、辺枠列（４）を中央部分に略四角形となる様に、翼枠列（５）を其の角部の一枠を構成する形で略対角線上に外側に張り出して配置した構成と、中央枠列（６）の端から四方に伸ばした翼枠列（５）の形から成る構成とを、前者は（翼枠数５，辺枠数７）と（翼枠数７，辺枠数５）、後者は（中央枠数４，翼枠数１１）として構成したものを重ね合わせた場合（実線枠）の盤面である。使用総文字枠数が夫々４８個の場合の構成で、文字駒（３）は歌句経路に応じて此の枠上に布置される。（５，７，５等のリズムで辺枠や翼枠を表現している都合上、張り出し構成と記載しているが、「５，７，５」を「４，９，４」として辺枠数と翼枠数を設定する方式をとれば、翼枠列が四角形の角部の一枠を構成する形と限定される訳では無い事は言うまでも無い。）
【００１２】
各競技者は盤の各辺に位置し、着手順や歌句形式を決めて各自の歌句経路上に文字駒を布置して行く。原則として禁じ手は無いものとし、布置位置は順序良く（左右何れかの）詠み方向に沿つても良いが、使われ易い文字駒などを先に確保して予定の位置に飛び（離れ）置いても構わない。従って、各競技者の布置位置によっては後順の競技者が先に排置完了となる場合も生じる。文字駒を一駒置く毎に次ぎの競技者に布置順を回す事となる。景感道（初，中，上級)に応じて、制限時間や持ち時間を適宜取り決めて行っても差支え無い。
【００１３】
総文字枠数（＝一歌句経路×競技者数）が４８個の場合の歌句経路は、俳句（川柳）の時はＡ（実線→）、短歌の時は俳句経路ＡにＡ'＋Ａ"の経路を夫々の競技者の位置で加えれば創作でき、施頭歌(酒折連歌)の時はＣ（点線→）、甚句の時はＢ（二点鎖線→）で、夫々四人〜二人で競技ができる。翼枠列上，中央枠列上の文字駒は隣り（又は対向）の競技者と逆読みする形となる。
酒折応答歌の場合は、二人が先に問い歌を創り，二人が後に（盤面の布置文字駒と残る１０文字駒で）答え歌を創る様な楽しみ方もできる。（５，７，５）、（５，７，７）、（７，７，７，５）のリズムであるが、（７，７，７）のリズムを競作したい時には点線で示す枠を付加した経路を使えば、其のリズムで競作可能な盤が出来る。同様に各歌句経路総枠数（つまりリズムや数）を増減でき、任意のリズムの闘詩が創作できる。字余り等の場合、必要が有れば（文字枠を加えなくとも）文字駒を４９〜５２個として処理してもよい。  現代仮名使いの異字母４６文字で行う事も勿論可能である。（甚句の場合には、中央枠列＝４から６とする為に両端に各一増枠し，翼枠列＝１０を使用する事となる。）
更に、感情表現にアクセントを付けたり、より意味を明確にするために、感嘆符（！），疑問符（？），長音符（〜，ー等）を文字駒に加え使用する事も表現として有効である。
【００１４】
また、三名であれば、夫々が俳句（川柳）、施頭歌(酒折連歌)、甚句を個別に選択し競作することも可能で、此の場合は歌句経路総枠数が５２個となるので文字駒は「全字母＋う゛」を使用する事で賄うことができよう。俳句（川柳），俳句（又は短歌），甚句の組合せも５０字母文字駒を使用することで可能となる。
【００１５】
盤面の文字枠は選択経路に応じて太細，色別など識別できる様にしたり、異なる形にすればより使い易い。又盤面の文字枠の全枠数に規制は無く、盤面全体を升目状態にしても問題は無い。中央の四角形は、其の辺が円弧風の形や意匠であっても機能的な支障は無い。歌句経路に置いた文字駒が詠めれば、盤面に凹凸や傾斜があ存っても差支えは無い。
【００１６】
図１（b）は側面図で碁，将棋盤風の形態にした場合で、或る程度の盤厚と脚を付けた形である。厚みや支柱脚形状，数には勿論制限は無い。機能的には、平板であっても、布などの薄く柔軟平板（風呂敷状）であっても差支えなく、其の方が他の機能を兼用出来て良い場合もある。
【００１７】
図２（ａ）〜（ｇ）は文字駒の形態を示すもので、（ａ），（ｂ）は一文字のみ、（ｃ），（ｄ），（ｆ）は同じ文字を逆向きに二文字、（ｅ）は同じ文字をほぼ１２０度の角度で三文字、（ｇ）は同じ文字を９０度の角度で四文字を表記したものである。（ｆ），（ｇ）は斜視図である。本闘歌句盤の場合には（ｃ），（ｄ），（ｆ）の二文字，（ｇ）の四文字が表記された物が見易くて使い易いであろう。平板でも円錐，角錐，半球や其の一部であっても、文字が識別できれば絵が加えられていてもトランプ風であっても良い。闘歌句盤（文字枠部）と文字駒（底面接触部）が噛み合う（磁力で引き合う）形態でも、掴み易い把手部分が付いた形態であっても良い。
【実施例２】
【００１８】
図３には歌句種類は同じでも、盤上での形態が異なる（構成配列を複数個纏めた）場合の例を示す。競技者は４（又は８）人が標準で八角形の辺部分を正面とし俳句を競う。
外郭闘歌句枠列（４競技者の場合）では、夫々の創作句領域は実線矢印の（ａ１），（ａ２），（ａ３）、次の競技者は点線矢印の（ｂ１），（ｂ２），（ｂ３）の様に、順次其の領域を辷らして文字駒を排置（布置）する事に拠って競う。全字母５１文字を使用する場合には九角形で構成し、標準３競技者で行える。多角形で無く円形でも良い。（開始枠は任意の処にできる）  同時で無く順詠（前者が終了後に次の人が詠む）でも楽しむことができる。
【００１９】
内郭闘歌句枠列（４８異文字＋「う，え，い」の何れか一文字を使用して競う総文字枠数４９の場合）では、布置・詠み取り経路は幾通りもあるが、競技者位置を辺部分として（ｑ１），（ｑ２），（ｑ３），（ｑ４）を順次移行した（＼⌒／）経路で闘歌句ができる。また、ＷあるいはＺ形の経路で行うことも可能である。此れ等の場合には上・中・下の句が鎖歌（尻取り）風に構成される。また、競技者位置を角枠部分とすれば、（ｐ１），（ｐ２），（ｐ３）の（↓）経路でも創作することができる。此の場合は上・中・下の句の最後の文字が同じとなる。勿論、両側に広げて辷らせば異ならせる事も可能である。
又、外郭・内郭共に、両側の７枠を利用すれば（５，７，５，７，７）の短歌を競うことも可能である。更に、同一競技者が、外郭と内郭で、俳句と短歌を同時に競えるものでもある。外郭または内郭のみを使用する時は何方かを文字駒の置場として活用できる。
【産業上の利用可能性】
【００２０】
古来からの歌句を綜合的に創作できる創作具として、娯楽遊戯具として、新規に造出され、且つ既存の製品にも組み込み可能なものであり、其の利用価値や規模は極めて大きい。
国語・漢語・他国語学習や習得機器としても使え、心理学分野への応用，活用も可能である。
【図面の簡単な説明】
【００２１】
【図１】大略四角形基盤の場合の盤面の平面図（上面図）および側面図である。  （ａ）基盤上の辺枠列，翼枠列，中央枠列の平面配置図（上面図）  （ｂ）基盤の側面図
【図２】文字駒の平面図（上面図）および斜視図である。  （ａ）一文字記載で平板文字駒の場合の平面図（上面図）  （ｂ）一文字記載で平板文字駒の場合の斜視図  （ｃ）二文字(仮名＆ローマ字)記載で平板（又は部分的球面）文字駒の場合の平面図（上面図）  （ｄ）二文字記載で平板（又は部分的球面）文字駒の場合の平面図（上面図）  （ｅ）三文字記載で平板（又は部分的球面）文字駒の場合の平面図（上面図）  （ｆ）二文字記載で円錐形文字駒の場合の斜視図  （ｇ）四文字記載で円錐形文字駒の場合の斜視図
【図３】八角形の基盤で八角形の枠配列の場合の複数配列形態盤の平面図（上面図）である。
【符号の説明】
【００２２】
１        基盤
２        文字枠
２ａ      角枠
３        文字駒
４        辺枠列
５        翼枠列
６        中央枠列
Ａ        俳句（川柳）構成経路、短歌経路（上句５，７，５の部分）
Ａ'，Ａ"  短歌構成経路（下句７，７の部分）
Ｂ        甚句構成経路
Ｂ'        甚句構成経路の相互逆読み重複部分
Ｃ        施頭歌（酒折連歌）構成経路
ａ１，ａ２，ａ３            外郭（外周区画）での俳句等構成経路
ｂ１，ｂ２，ｂ３            外郭（外周区画）での俳句等構成経路
ｐ１，ｐ２，ｐ３            内郭（内部区画）での俳句等構成経路
ｑ１，ｑ２，ｑ３，ｑ４      内郭（内部区画）での俳句等構成経路
【図１】
2006218003.tif 000003
【図２】
2006218003.tif 000004
【図３】
2006218003.tif 000005